(57)【要約】      （修正有）【課題】買い物に行く際に、忘れるのを防止することができる買い物袋を提供する。【解決手段】ロール状に折りたたまれた買い物袋１１の締結バンド２１に連結されたストラップ３５の結着用紐３９によって、買い物袋１１と携帯電話４１を連結する。ストラップ３５の第１係合部材３７と第２係合部材３８が脱着可能になっているので、第１係合部材３７から第２係合部材３８を取り外した状態で、携帯電話４１の係止孔４２に結着用紐３９の先端部を挿入して、引き出されたループ状の結着用紐３９の先端部に第２係合部材３８を通すことによって、携帯電話４１に結着用紐３９を容易に係止することができる。【選択図】図１
0003156026.tif 000002
【実用新案登録請求の範囲】
【請求項１】
折りたたみ可能に構成された袋本体又は該袋本体に連結された取手部に対し、携帯電話に形成された係止孔又は係止リングに係止される結着用紐を有するストラップを連結したことを特徴とする買い物袋。
【請求項２】
請求項１において、前記ストラップは、袋本体に連結された連結紐に連結された第１係合部材と、該第１係合部材に脱着可能に形成された第２係合部材と、該第２係合部材に連結された結着用紐とにより構成されていることを特徴とする買い物袋。
【請求項３】
請求項１又は２において、買い物袋は、袋本体と、該袋本体の上端開口縁に形成された一対の取手部とにより構成され、前記袋本体の上部には、前記袋本体及び取手部を折りたたんだ状態に保持する締結バンドの一端が連結され、該締結バンドの両端部には、雄型のホックと雌型のホックが取り付けられていることを特徴とする買い物袋。
【請求項４】
請求項２又は３において、前記ストラップを構成する連結紐は、締結バンドの外周縁に帯状の装飾布をミシン糸により縫着する際に、該締結バンドに縫着されていることを特徴とする買い物袋。
【請求項５】
請求項１〜４のいずれか一項において、前記袋本体の表面には、前記ストラップの結着用紐に係止された携帯電話を収容するポケットが形成されていることを特徴とする買い物袋。
【請求項６】
請求項１〜５のいずれか一項において、前記結着用紐の先端部には、携帯電話の係止孔に該結着用紐を挿入する挿入案内ピンが連結されていることを特徴とする買い物袋。
【考案の詳細な説明】
【技術分野】
【０００１】
本考案は、折りたたみ可能な買い物袋に係り、詳しくは買い物に行く際に忘れるのを防止することができる買い物袋に関する。
【背景技術】
【０００２】
従来、買い物等に用いられる収納袋として、特許文献１に開示されたものが提案されている。この収納袋は、所定の形状に折りたたみ可能に構成された収納袋本体の上部に左右一対の取手部が設けられ、収納袋本体の下部にひれ形状の片が連結され、該片に第１粘着面が形成されている。又、収納袋本体の一部には前記第１粘着面に粘着される第２粘着面が形成されている。そして、前記ひれ形状の片の第１粘着面を、折りたたまれた状態の収納袋本体に設けられた第２粘着面に粘着することにより、収納袋を折りたたまれた状態に保持するようになっている。
【先行技術文献】
【特許文献】
【０００３】
【特許文献１】特開２０００‐３１８７４７号公報
【考案の概要】
【考案が解決しようとする課題】
【０００４】
ところが、上記従来の収納袋は、折りたたんだ状態に保持することができるが、収納袋本体に他の物品を係止するストラップがなかったので、携帯電話を収納袋に連結することができない。このため、買い物に行く際に、携帯電話は衣服のポケットなどに収納して携行することができても、買い物に行く人の意に反して、収納袋を忘れる可能性があるという問題があった。
【０００５】
この考案は、上記従来の技術に存する問題点を解消して、買い物に行く際に、忘れるのを防止することができる買い物袋を提供することにある。
【課題を解決するための手段】
【０００６】
上記問題点を解決するために、請求項１に記載の考案は、折りたたみ可能に構成された袋本体又は該袋本体に連結された取手部に対し、携帯電話に形成された係止孔又は係止リングに係止される結着用紐を有するストラップを連結したことを要旨とする。
【０００７】
請求項２に記載の考案は、請求項１において、前記ストラップは、袋本体に連結された連結紐に連結された第１係合部材と、該第１係合部材に脱着可能に形成された第２係合部材と、該第２係合部材に連結された結着用紐とにより構成されていることを要旨とする。
【０００８】
請求項３に記載の考案は、請求項１又は２において、買い物袋は、袋本体と、該袋本体の上端開口縁に形成された一対の取手部とにより構成され、前記袋本体の上部には、前記袋本体及び取手部を折りたたんだ状態に保持する締結バンドの一端が連結され、該締結バンドの両端部には、雄型のホックと雌型のホックが取り付けられていることを要旨とする。
【０００９】
請求項４に記載の考案は、請求項２又は３において、前記ストラップを構成する連結紐は、締結バンドの外周縁に帯状の装飾布をミシン糸により縫着する際に、該締結バンドに縫着されていることを要旨とする。
【００１０】
請求項５に記載の考案は、請求項１〜４のいずれか一項において、前記袋本体の表面には、前記ストラップの結着用紐に係止された携帯電話を収容するポケットが形成されていることを要旨とする。
【００１１】
請求項６に記載の考案は、請求項１〜５のいずれか一項において、前記結着用紐の先端部には、携帯電話の係止孔に該結着用紐を挿入する挿入案内ピンが連結されていることを要旨とする。
【００１２】
（作用）
この考案は、袋本体又は取手部に連結されたストラップの結着用紐に携帯電話を連結することができる。このため、買い物に行く際に、携帯電話を携行する際に、必然的に買い物袋も携行することになり、買い物袋が忘れられるのを防止することができる。
【考案の効果】
【００１３】
本考案によれば、買い物に行く際に、買い物袋が忘れられるのを防止することができる。
【図面の簡単な説明】
【００１４】
【図１】この考案の買い物袋を具体化した一実施形態を示す折りたたんだ状態の斜視図。
【図２】買い物袋の扁平状態の斜視図。
【図３】買い物袋の取手部及び締結バンドの構造を示す部分縦断面図。
【図４】ストラップの第１係合部材と第２係合部材を分離した状態を示す斜視図。
【図５】買い物袋の袋本体を５層に折りたたんだ状態を示す斜視図。
【図６】買い物袋の袋本体及び取手部をロール状に折りたたんだ状態を示す斜視図。
【考案を実施するための形態】
【００１５】
以下、本考案を具体化した買い物袋の一実施形態を図面にしたがって説明する。
図２に示すように、買い物袋１１の袋本体１２は例えば合成樹脂シート或いは布地により正面四角形状に形成され、該袋本体１２の上端部に形成された物品を出し入れするための開口縁１２ａには、買い物袋１１を手で把持するための一対の取手部１４，１５がそれぞれループ状に形成されている。前記両取手部１４，１５は同様に構成されている。前記取手部１４，１５は、前記袋本体１２の開口縁１２ａに一体に、かつ互いに対向するように形成された一対のループ状部１２ｂ，１２ｃを備えている。前記袋本体１２の上端部の内側面及び前記ループ状部１２ｂ，１２ｃの対向する内側面には、ループ状部１２ｂ，１２ｃを補強するための補強用シート１６が接触されている。前記ループ状部１２ｂ，１２ｃの周縁部及び前記補強用シート１６の周縁部は、図３に示すように、帯状の装飾布１７によって被覆されている。前記袋本体１２の開口縁１２ａ、ループ状部１２ｂ，１２ｃ及び補強用シート１６の周縁部及び前記装飾布１７は、ミシン糸１８によって縫合されている。
【００１６】
図２に示すように、前記袋本体１２の上部表面には、該袋本体１２及び取手部１４，１５を折りたたんだ状態に保持するための締結バンド２１が連結されている。この締結バンド２１は、合成樹脂シート或いは布地よりなる帯状のシート２２を、図３に示すように、下端で折り返して二層に重ね合わせ、この折り返し部をミシン糸２３によって前記袋本体１２に連結している。前記シート２２の周縁部には、前記装飾布１７及びミシン糸１８と同様に、装飾布２４がミシン糸２５によって縫合されている。前記シート２２の下端部には、雄型のホック２６が取り付けられ、上端部には、前記ホック２６に係脱可能な雌型のホック２７が取り付けられている。前記ホック２６は前記シート２２の片面に接触された台座２８と、他面に接触され、かつ前記台座２８に連結された雄型の係止具２９とによって構成されている。前記ホック２７は前記シート２２の片面に接触された台座３０と、シート２２の他面に接触され、かつ前記台座３０に連結された雌型の係止具３１とによって構成されている。前記締結バンド２１及びホック２６，２７によって、後述するように袋本体１２及び取手部１４，１５が折り畳まれた状態（図１参照）に保持される。
【００１７】
前記袋本体１２の前記締結バンド２１と反対側の表面には、図２に破線で示すように、前記雌型のホック２６と同様の雌型のホック２６Ａが設けられている。そして、袋本体１２の内部に物品を収容した状態で、前記締結バンド２１をループ状の取手部１４，１５の中を通した後、前記ホック２７をホック２６Ａに係合することにより、袋本体１２の開口縁１２ａを閉じた状態に保持するようになっている。
【００１８】
図２に示すように、前記締結バンド２１のシート２２の基端部には、ストラップ３５が連結されている。このストラップ３５は、図４に示すように、二層に積層された帯状の連結紐３６と、該連結紐３６の先端に形成された折り返し部に連結された合成樹脂よりなる雄型の第１係合部材３７と、該第１係合部材３７に取り外し可能に係合される合成樹脂よりなる雌型の第２係合部材３８と、該第２係合部材３８の先端部に連結された結着用紐３９とによって構成されている。
【００１９】
前記第１係合部材３７は、前記連結紐３６の先端に形成された折り返し部に係止される環状部３７ａと、該環状部３７ａに一体に成形されたアーム部３７ｂと、該アーム部３７ｂの先端部に一体に連結され、かつ後方向に指向するように成形された弾性変形可能な一対の係止レバー３７ｃとによって構成されている。前記第２係合部材３８は、筒状の本体３８ａと、該本体３８ａの先端部に成形された挿入孔３８ｂと、本体３８ａの上下両側部に形成された開口部３８ｃと、前記本体３８ａの上下両側部に一体に形成された係止解除レバー３８ｄと、前記係止レバー３７ｃを係止する上下一対の係止部３８ｅとによって構成されている。そして、前記第２係合部材３８の挿入孔３８ｂに第１係合部材３７の一対の係止レバー３７ｃが挿入されると、両係止レバー３７ｃが互いに接近する方向に弾性変形される。両係止レバー３７ｃの先端部が前記開口部３８ｃに移動されると、両係止レバー３７ｃが互いに離隔する方向に復元されて、一対の係止部３８ｅに係止レバー３７ｃの先端部が係止され、第１係合部材３７と第２係合部材３８が連結される。この状態において、一対の前記係止解除レバー３８ｄを互いに接近する方向に押圧操作して、前記両係止レバー３７ｃを互いに接近する方向に弾性変形すると、前記両係止部３８ｅに係止されていた係止レバー３７ｃの係止状態が解除され、第１係合部材３７から第２係合部材３８が分離される。
【００２０】
図１に示すように、前記ストラップ３５の結着用紐３９は、携帯電話４１の係止孔４２に連結されている。前記携帯電話４１に結着用紐３９を連結する作業は、図４に示すように、第１係合部材３７から分離された第２係合部材３８の結着用紐３９を、前記携帯電話４１の係止孔４２に挿通する。そして、引き出されたループ状の結着用紐３９に第２係合部材３８を通した後、該第２係合部材３８を引っ張ることによって、結着用紐３９の先端部が図１に示すように携帯電話４１の係止孔４２に結着される。
【００２１】
図２は買い物袋１１の展開状態を示す斜視図である。この状態の買い物袋１１を折りたたんで図１に示すようにコンパクト化する方法について説明する。
図２に示すように、袋本体１２に予めアイロン等により形成された縦方向に指向する折曲許容線Ｌ１〜Ｌ４に沿って、袋本体１２を、図５に示すように計５層に折りたたむ。この動作により前記取手部１４，１５も複数層に折りたたまれる。そして、折りたたまれた袋本体１２の片面に、同じく折りたたまれた前記取手部１４，１５を、その基端部を中心に下方に変位して、図５に二点鎖線で示すように重ね合わせる。
【００２２】
次に、図５に示す５層に折りたたまれた袋本体１２を、その下端部から図６に示すようにロール状態に巻き上げる。この巻き上げる行程で、前記取手部１４，１５もロール状の袋本体１２に巻き込まれる。この状態で、前記締結バンド２１を前記ロール状の袋本体１２の外周面に巻き付け、締結バンド２１の先端部に設けた雌型のホック２７を、雄型のホック２６に係止する。この動作によって、袋本体１２及び取手部１４，１５が図１に示すようにコンパクトな折りたたみ状態に保持される。そして、ストラップ３５の結着用紐３９を携帯電話４１の係止孔４２に係止して、買い物袋１１と携帯電話４１をストラップ３５によって連結する。
【００２３】
上記実施形態の買い物袋によれば、以下のような効果を得ることができる。
（１）上記実施形態では、ストラップ３５の第１係合部材３７に第２係合部材３８を取り外し可能に係止するとともに、結着用紐３９を携帯電話４１の係止孔４２に係止して連結するようにした。このため、買い物袋１１及び携帯電話４１の使用者が買い物に行く際に、買い物袋１１に携帯電話４１が連結されているので、買い物袋１１を忘れるのを極力防止することができる。又、第３者に買い物袋１１を持たせる場合には、第３者の携帯電話４１に買い物袋１１を予め連結しておくことによって、買い物袋１１を持たせ易くすることができる。このように、買い物に行く際に、買い物袋１１を忘れる回数が少なくなるので、店舗の持ち帰りの有料の収納（レジ）袋の購入枚数が減少し、経費の節減を図ることができる。
【００２４】
（２）上記実施形態では、ストラップ３５の第１係合部材３７に、第２係合部材３８が取り外し可能に係止されるので、第１係合部材３７から第２係合部材３８を分離した状態で、携帯電話４１の係止孔４２に結着用紐３９を容易に連結することができる。又、買い物をしない時には、携帯電話４１から買い物袋１１を分離することができるので、携帯電話４１だけを携行したい場合に便利である。
【００２５】
（３）上記実施形態では、ストラップ３５の連結紐３６を、単体の前記締結バンド２１のシート２２の基端部に前記ミシン糸２５によって予め連結するようにしたので、前記袋本体１２に対する前記締結バンド２１の連結作業時に、ストラップ３５を容易に連結することができる。
【００２６】
なお、上記実施形態は以下のように変更してもよい。
・図２に二点鎖線で示すように、前記袋本体１２の表面に対し、前記ストラップ３５の下方に位置するように、前記携帯電話４１を収納することができるポケット４５を形成してもよい。この場合には、ストラップ３５の結着用紐３９に連結された携帯電話４１を前記ポケット４５に収納することができるので、買い物袋１１の使用状態において、使用されていない携帯電話４１をポケット４５に安定して収納することができる。
【００２７】
・図４に二点鎖線で示すように、前記ストラップ３５の結着用紐３９の先端部に対し、携帯電話４１の係止孔４２に前記結着用紐３９の先端部を挿入する作業を容易にするために挿入案内ピン４６を連結してもよい。
【００２８】
・図示しないが、携帯電話４１に設けられた係止リングにストラップ３５の結着用紐３９を連結するようにしてもよい。
・図示しないが、前記ストラップ３５の連結紐３６を前記取手部１４，１５のいずれか一方に連結するようにしてもよい。
【００２９】
・前記連結紐３６に第２係合部材３８を連結し、この第２係合部材３８に取り外し可能に連結される第１係合部材３７に結着用紐３９を連結してもよい。
・前記連結紐３６に前記結着用紐３９を直接連結するようにしてもよい。
【符号の説明】
【００３０】
１１…買い物袋、１２…袋本体、１４，１５…取手部、１７，２４…装飾布、１８，２３，２５…ミシン糸、２１…締結バンド、２６，２７…ホック、３５…ストラップ、３６…連結紐、３７…第１係合部材、３８…第２係合部材、３９…結着用紐、４１…携帯電話、４２…係止孔、４５…ポケット、４６…挿入案内ピン。
【図１】
0003156026.tif 000003
【図２】
0003156026.tif 000004
【図３】
0003156026.tif 000005
【図４】
0003156026.tif 000006
【図５】
0003156026.tif 000007
【図６】
0003156026.tif 000008